(57)【特許請求の範囲】
【請求項１】
監視制御対象機器に対して制御信号を出力するとともに、監視制御対象機器から監視信号を入力するモデムと、
外線からの呼出信号に応答してオフフック信号を公衆回線網に出力する着信処理手段と、
前記着信処理手段により着信処理のなされた後にモデム接続信号を受信したときに前記モデムを前記回線網に接続するモデム接続手段と、
前記モデム接続手段により前記モデムと前記公衆回線網とが接続されている間に、加入者回線がハイアンドドライ状態となったときに前記モデムに異常が発生したことを検出した場合に、オンフック信号を前記公衆回線網に出力して終話状態とし、その後、該公衆回線網を介して前記加入者回線に伝送されるモデムリセット信号により前記モデムの異常状態をリセットするモデム異常処理手段と、を具備する回線自動切替器。
【発明の詳細な説明】
【０００１】
【発明の属する技術分野】
本発明は加入者回線端末である回線自動切替器に係り、特にモデム及びモデムの異常状態リセット機能を具備する回線自動切替器に関する。
【０００２】
【従来の技術】
近年公衆回線網を使用して、ユーザ側事業所に設置された製品（複写機、通信カラオケ装置等）の動作状況をメーカ側事業所において遠隔監視装置が実用化されている。
図１はこの遠隔監視装置の構成図であって、ユーザ側事業所１１とメーカ側事業所１２はそれぞれ加入者回線１１０及び１２０を介して公衆回線網１０に接続されている。
【０００３】
ユーザ側事業所１１内に設置される監視対象である製品（例えば通信カラオケ装置）１１１は、ユーザ側モデム１１２、ユーザ側端末１１３及び加入者回線１１０を介して公衆回線網１０に接続されている。
メーカ側事業所に設置されている監視端末であるパーソナルコンピュータ（ＰＣ）１２１は、メーカ側モデム１２２、メーカ側端末１２３及び加入者回線１２０を介して公衆回線網１０に接続されている。
【０００４】
上記遠隔監視装置にあっては、通信カラオケ装置１１１の動作状況をＰＣ１２１で監視可能であるだけでなく、ＰＣ１２１から通信カラオケ装置１１１に新曲をダウンロードすること、即ち双方向に通信することが可能である。
そして、通信中にユーザ側モデム１１２に異常が発生し回線が切断された後も、ユーザ側モデム１１２が回線を捕捉したまま無効保留状態となった場合は、ＰＣ１２１は再び通信をすることはできない。
【０００５】
【発明が解決しようとする課題】
しかしながら、ユーザ側モデム１１２に異常が発生したときに、ユーザはユーザ側モデム１１２、ユーザ側端末１１３のいずれが故障したかを判定することはできない。
従って、現状ではユーザからの要求に報じてメーカの保守要員がユーザ事業所１１を訪問し、ユーザ側モデムの異常を解消しなければならず、復旧に手間と時間を要していた。
【０００６】
一方、モデムはプログラマブル論理素子で構成されることが一般的であるため、モデムの異常はソフトウエア的なハングアップにすぎず、電源の供給を一時的に遮断することによりリセット可能な場合が多い。
本発明は上記課題に鑑みなされたものであって、ユーザ側モデムを内蔵するとともに、ユーザ側モデムの異常状態をリセットすることのできるユーザ側端末として使用可能な回線自動切替器を提供することを目的とする。
【０００７】
【課題を解決するための手段】
本発明に係る回線自動切替器は、監視制御対象機器に対して制御信号を出力するとともに監視制御対象機器から監視信号を入力するモデムと、外線からの呼出信号に応答してオフフック信号を公衆回線網に出力する着信処理手段と、着信処理手段により着信処理のなされた後にモデム接続信号を受信したときにモデムを公衆回線網に接続するモデム接続手段と、モデム接続手段によりモデムと公衆回線網とが接続されている間に、加入者回線がハイアンドドライ状態となったときに前記モデムに異常が発生したことを検出した場合に、オンフック信号を前記公衆回線網に出力して終話状態とし、その後、該公衆回線網を介して前記加入者回線に伝送されるモデムリセット信号によりモデムの異常状態をリセットするモデム異常処理手段と、を具備する。
【０００８】
本発明にあっては、通信中にモデムが異常となった場合には、モデムを切り離して終話処理がなされるとともにモデムの異常がリセットされる。
【０００９】
【発明の実施の形態】
図２は本発明に係る回線自動切替器２の構成図であって、ユーザ側加入者回線１１０は第１のリレイ２０１のメイク端子、第２のリレイ２０２のメイク端子、第３のリレイ２０３のメイク端子、及び第４のリレイ２０４のメイク端子に接続される。
【００１０】
第２のリレイ２０２の共通端子は第１の機器２１（例えば通常の電話機）に、第３のリレイ２０３の共通端子は第２の機器２２（例えばファクシミリ）に、第４のリレイ２０４の共通端子は第３の機器であるモデム２３に接続される。
なお、モデム２３は監視対象である製品（例えば通信カラオケ装置）２４から動作状態を示す信号を受信するだけでなく、通信カラオケ装置２４に対する制御信号を出力することも可能である。
【００１１】
本発明に係る回線自動切替器２は内蔵されるマイクロコンピュータ２５によって制御されるが、マイクロコンピュータ２５はバス２５０を中心として電話インターフェイス２５１、リレイ制御インターフェイス２５２、リセットインターフェイス２５３、ＣＰＵ２５４、メモリ２５５、及び内線インターフェイス２５６で構成される。
【００１２】
電話インターフェイス２５１は第１のリレイ２０１の共通接点に接続されているとともに、加入者回線１１０の電圧レベルを監視するために加入者回線１１０に直接接続される。
また、第１のリレイ２０１、第２のリレイ２０２、第３のリレイ２０３、及び第４のリレイ２０４の開閉はリレイ制御インターフェイス２５２から出力されるリレイ制御指令によって制御される。
【００１３】
内線インターフェイス２５６は、第１ないし第３の機器に電流及び呼出し信号を供給し、第１ないし第３の機器の動作状態を監視するためのものであって、第２のリレイ２０２のブレーク端子、第３のリレイ２０３のブレーク端子、及び第４のリレイ２０４のブレーク端子に接続される。
さらにリセットインターフェイス２５３から出力されるリセット指令はトランジスタ２５６で電力増幅されてリセットリレイ２６のコイル２６１に供給される。リセットリレイ２６のブレーク接点２６２はモデム２３用の電力供給回路（例えば電源トランス２８の２次側）に挿入される。なお、電源トランス２８の１次側は交流電源２７に接続される。
【００１４】
図３はマイクロコンピュータ２５のメモリ２５５内に記憶され、ＣＰＵ２５４で実行される着信制御ルーチンのフローチャートであって、ステップ３０及び３１で着信信号の着信を待機する。
着信信号を受信したときはステップ３０で肯定判定され、ステップ３２に進んで電話インターフェイス２５１を介して応答信号（オフフック信号）を送出して回線自動切替器２をオフフック状態とする。
【００１５】
ステップ３３で受信信号中に制御信号が無いかを判定し、肯定判定されたときはステップ３４に進み、内線機器番号ＥＸを “１" に設定してステップ３８に進む。
ステップ３３で否定判定されたとき、即ち制御信号を受信したときは、ステップ３５に進み制御信号が “モデム制御信号" であるかを判定する。
【００１６】
ステップ３５で否定判定されたとき、即ち制御信号が “モデム制御信号" でないときは制御信号はステップ３６に進み、内線機器番号ＥＸを “２" に設定してステップ３８に進む。
ステップ３５で肯定判定されたときは、即ち制御信号が “モデム制御信号" であるときはステップ３７でモデム制御信号を実行する。
【００１７】
なお、ステップ３８では内線制御ルーチンが実行される。
図４はステップ３７で実行される第１のモデム制御ルーチンのフローチャートであって、ステップ３７１ａで受信した制御信号、即ち “モデム制御信号" がモデム接続信号であるかを判定する。
ステップ３７１ａで肯定判定されたとき、即ちモデム接続信号であるときはステップ３７１ｂで内線インターフェイス２５６を介してモデム２３に対して呼出し信号を送出する。
【００１８】
ステップ３７１ｃ及び３７１ｄでモデムからの応答を待ち、応答があったときは、ステップ３７１ｅで第４のリレイ２０４をメークして公衆回線１０をモデム２３に接続するとともに、ステップ３７１ｆで第１のリレイ２０１をブレークして電話インターフェイス２５１を公衆回線１０から切り離して、モデム２３を介しての通話が開始される。
【００１９】
回線自動切替器２に内蔵されたモデム２３の異常により通話が中止されていないことを確認するために、ステップ３７１ｇで加入者回線１１０の信号レベルを電話インターフェイス２５１を介して読み込む。
図５はモデム２３を介して通信中にユーザ側モデム２３に異常が発生した場合の加入者回線１１０の信号レベルのタイミングチャートであって、時刻ｔ1 以前は通信は正常に行われていたものとする。
【００２０】
時刻ｔ1 においてユーザ側モデム２３が異常となったときは、メーカ側事業所で通信カラオケ装置２４の状態を受信することができなくなったと判断し、時刻ｔ2 においてメーカ側事業所でメーカ側端末（図示せず）から切断信号（オンフック信号）が公衆回線網１０に出力される。
すると、公衆回線網１０は、加入者回線１１０の信号レベルを反転し、時刻ｔ3 〜ｔ4 の間話中音を発生する。そして公衆回線網１０は時刻ｔ4 以後回線自動切替器２への電力の供給を遮断するため、加入者回線１１０の信号レベルは０Ｖ（ハイアンドドライ（Ｈ＆Ｄ）状態）となる。
【００２１】
その後公衆回線網１０は、回線自動切替器２側のオンフック処理を監視するために、時刻ｔ5 、ｔ6 に示すように電圧供給チェックパルスを約１０秒毎に送出し続ける。さらに、Ｈ＆Ｄ状態においては約３００秒毎に時刻ｔ7 〜ｔ8 に示すように１０〜２２秒間ハウラ音も送出する。
そして、公衆回線網１０は回線自動切替器２でオンフック処理がなされたことを認識すると回線自動切替器２への電力の供給を再開するので、加入者回線１１０の信号レベルは正常の通話待ち状態である４８Ｖに復帰する。
【００２２】
従って、加入者回線１１０の信号レベルを監視することによりモデム２３がハングアップして通信が中断されたことを検出することが可能である。
そして本発明に係る回線自動切替器にあっては、加入者回線１１０がＨ＆Ｄ状態にあること、即ち加入者回線１１０の信号レベルが０Ｖであることを検出したときにモデム２３に異常が発生したものと判断する。
【００２３】
図４の第１のモデム制御ルーチンについての説明に戻って、ステップ３７１ｇで検出した加入者回線１１０の信号レベルに基づいてステップ３７１ｈで加入者回線１１０がＨ＆Ｄ状態であるか判定する。
ステップ３７１ｈで否定判定されたときはステップ３７１ｉに進み、オンフック状態であるか、即ちモデム２３を介しての通話が正常に終了したかを判定する。
【００２４】
ステップ３７１ｉで否定判定されたとき、即ち通信中であるときはステップ３７１ｇに戻り加入者回線１１０の信号レベルの監視も継続する。
ステップ３７１ｉで肯定判定されたとき、即ち通信が終了したときは、ステップ３７１ｊで第４のリレイ２０４をブレークし、第１のリレイ２０１をメークする終話処理を行ってこのルーチンを終了する。
【００２５】
またステップ３７１ｈで肯定判定されたとき、即ちモデムを介しての通話中にモデムに異常が発生してＨ＆Ｄ状態を検出したときもステップ３７１ｊの終話処理が実行される。
なお、ステップ３７１ａで否定判定されたとき、即ちモデム制御信号がモデム接続信号でないときはモデムリセット信号が送信されたものとして、ステップ３７１ｋでリセットインターフェイス２５３を介してモデム２３をリセットしてこのルーチンを終了する。
【００２６】
即ち、モデムを介しての通話中に本発明に係る回線自動切替機が終話処理を行った場合にはメーカ側事業所が適当な時間経過後にユーザ側事業所を再呼出ししてモデムリセット信号を伝送すると、回線自動切替器２で着信制御ルーチンが動作し、ステップ３７１ｋでモデムがリセットされる。
リセットインターフェイス２５３からモデムリセット指令が出力されると、このモデムリセット指令はトランジスタ２５６で電力増幅されてリセットリレイ２６のコイル２６１を所定時間励磁する。すると、リセットリレイ２６のブレーク接点２６２が一時的に開となり、モデム２３への電力の供給が一時的に遮断されモデム２３の異常がリセットされる。
【００２７】
上記第１のモデム制御ルーチンでは、メーカ側事業所からモデムリセット指令を送っているが、自動的にリセットを行うことも可能である。
図６は第２のモデム制御ルーチンのフローチャートであって、ステップ３７１ｈにおいてＨ＆Ｄ状態が検出されたときにモデムリセットルーチンを実行する点が第１のモデム制御ルーチンと相違する。
【００２８】
図７はモデムリセットルーチンのフローチャートであって、ステップ３７２ａで第４のリレイ２０４をブレークしてモデム２３を公衆回線１０から切り離す。次にステップ３７２ｂで内線インターフェイス２５６からモデム２３に電流が流れているか否かによりモデム２３がオフフック状態にあるかを判定する。
ステップ３７２ｂで肯定判定されたとき、即ちモデム２３がオフフック状態にあるときは、ステップ３７２ｃでモデムリセット指令を出力しモデムをリセットしてこのルーチンを終了する。
【００２９】
逆にステップ３７２ｂで否定判定されたとき、即ちモデム２３がオフフック状態でないときは直接このルーチンを終了する。
第２のモデム制御ルーチンによれば、第１のモデム制御ルーチンと同様にモデム２３が正常か否かに係わらずメーカ側事業所からモデムをリセットすることができる。
【００３０】
図８は着信制御ルーチンのステップ３８で実行される内線制御ルーチンのフローチャートであって、ステップ３８ａで内線機器番号ＥＸを有する内線機器に対して呼出しを行う。
ステップ３８ｂ及び３８ｃで内線機器からの応答を待ち、応答があればステップ３８ｄで該当内線機器を公衆回線１０に接続し、ステップ３８ｅで第１のリレイ２０１をブレークして電話インターフェイス２５１を公衆回線１０から切り離してこのルーチンを終了する。
【００３１】
なお上記実施形態においては、モデムの異常を判定するためにＨ＆Ｄ状態を検出しているが、他の状態（例えばハウラ音の発生）を検出してもよい。
【００３２】
【発明の効果】
本発明に係る回線自動切替装置によれば、ユーザ側モデムが異常となった場合は、自動的に終話処理がなされて以後の課金が停止されるだけでなく、メーカの保守要員がユーザ側に出向くことなくユーザ側モデムをリセットすることが可能となる。
【図面の簡単な説明】
【図１】遠隔監視装置の構成図である。
【図２】本発明に係る回線自動切替器の構成図である。
【図３】着信制御ルーチンのフローチャートである。
【図４】第１のモデム制御ルーチンのフローチャートである。
【図５】モデムに異常が発生した場合の電話線の信号レベルのタイミングチャートである。
【図６】第２のモデム制御ルーチンのフローチャートである。
【図７】モデムリセットルーチンのフローチャートである。
【図８】内線制御ルーチンのフローチャートである。
【符号の説明】
１０…公衆回線網
１１０…加入者回線
２…回線自動切替器
２０１〜２０４…リレイ
２１…電話
２２…フアクシミリ
２３…モデム
２４…通信カラオケ装置
２５…マイクロコンピュータ
２６…リセットリレイ
【図１】
0004278283.tif 000002
【図２】
0004278283.tif 000003
【図３】
0004278283.tif 000004
【図４】
0004278283.tif 000005
【図５】
0004278283.tif 000006
【図６】
0004278283.tif 000007
【図７】
0004278283.tif 000008
【図８】
0004278283.tif 000009